(57)【要約】【課題】実用性、タバコの取り出し易さ、及び鮮度を向上させるタバコ用パッケージを作製する。【解決手段】タバコ用パッケージ（１００）は、刻みタバコを収容するようになっており、前壁（１１２）と、後壁（１１４）と、互いに対向する第一（１１６）及び第二（１１７）大側壁と、互いに対向する第一（１１８）及び第二（１１９）小側壁とを含み、前壁（１１２）に取出し口（１２０）が設けられた容器（１１０）を備える。閉構造が取出し口（１２０）を閉じる閉位置から、取出し口（１２０）からの取り出しが可能となる開位置まで、閉構造が容器（１１０）に対して移動可能である。本発明の有利な実施形態において、閉構造は、取出し口（１２０）上に折り畳み可能で、係止蓋（１５０）によって閉位置に固定されるフラップ（１３０）を備える。巻紙ブックレット（１４０）をフラップ（１３０）に取り付けられる。【選択図】図１
2013540653.tif 000002
【特許請求の範囲】
【請求項１】
刻みタバコを収容するようになっており、前壁（１１２；４１２；５１２）と、後壁（１１４；４１４；５１４；６１４）と、互いに対向する第一（１１６；４１６；５１６；６１６）及び第二（１１７；４１７；５１７；６１７）大側壁と、互いに対向する第一（１１８；４１８；５１８；６１８）及び第二（１１９；４１９；５１９；６１９）小側壁とを含む容器（１１０；４１０；５１０；６１０）であって、前記前壁（１１２；４１２；５１２）に取出し口（１２０；４２０；５２０；６１２）が設けられた容器（１１０；４１０；５１０；６１０）と、
閉位置から開位置に前記容器（１１０；４１０；５１０；６１０）に対して相対移動可能な閉構造（１３０；１５０；４３０；５３０；６３０）であって、前記閉位置では、該閉構造（１３０；１５０；４３０；５３０；６３０）が前記取出し口（１２０；４２０；５２０；６１２）を閉じ、前記開位置では、前記取出し口（１２０；４２０；５２０；６１２）からの取り出しが可能となる、閉構造（１３０；１５０；４３０；５３０；６３０）と
を備えるタバコ用パッケージ。
【請求項２】
前記取出し口（１２０；４２０；５２０）の面積は、前記容器（１１０；４１０；５１０）の前記前壁（１１２；４１２；５１２）の面積よりも小さい
ことを特徴とする請求項１に記載のパッケージ。
【請求項３】
前記閉構造（１３０，１５０）は、
前記容器（１１０）の前記第一大側壁（１１６）又は前記第一小側壁（１１８）側にヒンジ接続されるフラップ（１３０）であって、前記フラップ（１３０）が前記取出し口（１２０）を覆う閉位置から、前記取出し口（１２０）からの取り出しが可能となる開位置へと折り畳み可能であるフラップ（１３０）と、
前記容器（１１０）の好ましくは前記第二大側壁（１１７）又は前記第二小側壁（１１９）側にヒンジ接続される係止蓋（１５０）であって、前記係止蓋（１５０）が前記フラップ（１３０）を前記閉位置に保持する係止位置から、前記係止蓋（１５０）が前記フラップ（１３０）を解放する係止解除位置へと旋回可能である係止蓋（１５０）と
を備えることを特徴とする請求項１又は２に記載のパッケージ。
【請求項４】
前記係止蓋（１５０）は、主壁（１５２）と、前記主壁（１５２）の端から延びる少なくとも一つの側壁（１５４，１５５，１５６，１５７）とを備える
ことを特徴とする請求項３に記載のパッケージ。
【請求項５】
前記係止蓋（１５０）は、主壁（１５２）と、前記主壁（１５２）の各端から延びる四つの側壁（１５４，１５５，１５６，１５７）とを備え、
前記係止蓋（１５０）は、前記側壁のうちの１つ（１５５）の自由端と好ましくは前記容器（１１０）の前記後壁（１１４）とに位置するヒンジライン（１５８）に沿って前記容器（１１０）にヒンジ接続される
ことを特徴とする請求項４に記載のパッケージ。
【請求項６】
前記係止蓋（１５０）が前記係止位置にあるとき、前記係止蓋（１５０）の前記主壁（１５２）と、前記容器（１１０）の前記第二大側壁（１１７）又は前記第二小側壁（１１９）との間に空洞が設けられている
ことを特徴とする請求項５に記載のパッケージ。
【請求項７】
前記フラップ（１３０）は、第一側方パネル（１３２）と主パネル（１３４）とを備え、
前記第一側方パネル（１３２）と前記主パネル（１３４）とは、折り目（１３３）によって分離され、
前記フラップ（１３０）が前記閉位置にあるとき、前記第一側方パネル（１３２）は前記容器（１１０）の前記第一大側壁（１１６）又は前記第一小側壁（１１８）に接近し、前記主パネル（１３４）は前記取出し口（１２０）を閉じる
ことを特徴とする請求項３〜６のいずれか一項に記載のパッケージ。
【請求項８】
前記フラップ（１３０）が、主パネル（１３４）と第二側方パネル（１３６）とを備え、
前記主パネル（１３４）と前記第二側方パネル（１３６）とは、折り目（１３５）によって分離され、
前記フラップ（１３０）が前記閉位置にあるとき、前記主パネル（１３４）は前記取出し口（１２０）を閉じ、前記第二側方パネル（１３６）は前記容器（１１０）の前記第二大側壁（１１７）又は前記第二小側壁（１１９）に接近する
ことを特徴とする請求項３〜７のいずれか一項に記載のパッケージ。
【請求項９】
巻紙ブックレット（１４０）が前記第二側方パネル（１３６）に取り付けられる
ことを特徴とする請求項８に記載のパッケージ。
【請求項１０】
前記フラップ（１３０）は、前記フラップ（１３０）が前記閉位置にあるときに前記取出し口（１２０）を覆う封止パッド及び／又は補強手段（１３８）を備える
ことを特徴とする請求項３〜９のいずれか一項に記載のパッケージ。
【請求項１１】
前記閉構造（５３０）は、前壁（５３２）と、後壁（５３４）と、互いに対向する第一（５３６）及び第二（５３７）大側壁と、任意に、一つの小側壁（５３８）とを備え、
前記閉構造（５３０）は、前記閉位置において前記容器（５１０）を囲繞し、
前記閉構造（５３０）は、前記開位置へ移行するために、前記容器（５１０）に対して摺動可能である
ことを特徴とする請求項１又は２に記載のパッケージ。
【請求項１２】
前記閉構造（４３０）は、前壁（４３２）と、後壁（４３４）と、互いに対向する第一（４３８）及び第二（４３９）小側壁と、任意の一つの大側壁とを備え、
前記閉構造（４３０）は、前記閉位置において前記容器（４１０）を囲繞し、
前記閉構造（４３０）は、前記開位置へ移行するために、前記容器（４１０）に対して摺動可能である
ことを特徴とする請求項１又は２に記載のパッケージ。
【請求項１３】
前記閉構造（４３０；５３０）は、前記任意の側壁（５３８）を備え、
前記側壁（５３８）には切欠き（５３９）が設けられている
ことを特徴とする請求項１１又は１２に記載のパッケージ。
【請求項１４】
前記開位置へ移行した前記容器（４１０；５１０）が前記閉構造（４３０；５３０）から離間するのを防止するようになっている制止構造（４４０，４４４；５４０，５４４）を備える
ことを特徴とする請求項１１〜１３のいずれか一項に記載のパッケージ。
【請求項１５】
前記容器（６１０）は、前記第一大側壁（６１６）に対して略平行に延在し、前記容器（６１０）を第一（６２１）及び第二（６２２）区画に分割する仕切り壁（６２０）を備え、
前記閉構造（６３０）は、前壁（６３２）と、後壁（６３４）と、互いに対向する第一（６３８）及び第二（６３９）小側壁とを備え、
前記閉構造（６３０）は、前記閉位置において前記容器（６１０）を囲繞し、
前記閉構造（６３０）は、前記開位置へ移行して前記容器（６１０）の前記第一区画（６２１）側の前記取出し口（６１２）を露出させるために、前記容器（６１０）に対して摺動可能であり、
前記閉構造（６３０）は、第二開位置へ移行して前記容器（６１０）の前記第二区画（６２２）側の前記取出し口（６１２）を露出させるように、反対方向に前記容器（６１０）に対して摺動可能であり、
前記容器（６１０）の前記第二区画（６２２）は、任意に、少なくとも一つの別の仕切り壁（６２４，６２５）によって更に分割される
ことを特徴とする請求項１又は２に記載のパッケージ。
【請求項１６】
前記第二区画（６２２）は、自製巻きタバコを少なくとも一つ保持するようになっている出張り領域（６２６）を備える
ことを特徴とする請求項１５に記載のパッケージ。
【請求項１７】
刻みタバコを収容するようになっており、前壁（２１２；３１２）と、後壁（２１４；３１４）と、互いに対向する第一（２１６；３１６）及び第二（２１７；３１７）側壁と、底壁（２１８；３１８）とを含む容器（１１０；４１０；５１０；６１０）であって、取出し口（２２０；３２０）が、底壁（２１８；３１８）の反対側に設けられ、前記前壁（２１２；３１２）が、前記側壁（２１６，２１７；３１６，３１７）の折り畳み可能なガセット状の拡張部（２２２〜２２５；３２２〜３２５）に接続されるとともに、前記前壁（２１２；３１２）が、底壁（２１８；３１８）の領域に位置するヒンジライン（２２６；３２６）を中心に前記後壁（２１４；３１４）から離れるように、休止位置から前記取出し口（２２０；３２０）を広げる使用位置へと旋回可能である容器（１１０；４１０；５１０；６１０）と、
上壁（２４２；３４２）と前壁（２４４；３４４）とを含む蓋（２４０；３４０）であって、前記容器（２１０；３１０）の前記後壁（２１４；３１４）の領域において前記容器（２１０；３１０）にヒンジ接続され、前記蓋（２４０；３４０）が前記取出し口（２２０；３２０）を閉じて前記容器（２１０；３１０）の前記前壁（２１２；３１２）を前記休止位置に固定する閉位置から、前記蓋（２４０；３４０）が前記容器（２１０；３１０）の前記前壁（２１２；３１２）を解放する開位置へと旋回可能である蓋（２４０；３４０）と
を備えるタバコ用パッケージ。
【請求項１８】
前記蓋（２４０）は、前記蓋（２４０）の前記上壁（２４２）の端に位置するヒンジライン（２４６）に沿って前記容器（２１０）にヒンジ接続され、
前記蓋（２４０）は、前記蓋（２４０）の前記前壁（２４４）を安定させる二つの側壁（２４８，２４９）を含む
ことを特徴とする請求項１７に記載のパッケージ。
【請求項１９】
前記容器（２１０）の前記前壁（２１２）の上端に、上面パネル（２３０）が折り畳み可能に接続される
ことを特徴とする請求項１７又は１８に記載のパッケージ。
【請求項２０】
前記蓋（３４０）は、後壁（３４６）と、前記蓋（３４０）の前記後壁（３４６）を前記蓋（３４０）の前記前壁（３４４）に接続する二つの側壁（３４８，３４９）とを含み、
前記蓋（３４０）は、前記蓋（３４０）の前記後壁（３４６）の端に位置するヒンジライン（３５０）に沿って前記容器（３１０）にヒンジ接続される
ことを特徴とする請求項１７に記載のパッケージ。
【請求項２１】
前記容器（３１０）の前記底壁（３１８）に対して垂直な方向において、前記容器（３１０）の前記前壁（３１２）の高さ及び／又は前記容器（３１０）の前記後壁（３１４）の高さは、前記容器（３１０）の各前記側壁（３１６，３３０，３１７，３３１）の高さよりも小さい
ことを特徴とする請求項２０に記載のパッケージ。
【請求項２２】
前記係止位置にある前記係止蓋（１５０）又は前記閉位置にある前記蓋（２４０；３４０）を固定するようになっている固定装置（２３４，２５２）を備え、
前記固定装置は、好ましくは、磁気装置、フック／フック式装置、フック／ループ式装置、押しボタン式装置、粘着テープ式装置、タブ／スリット式装置、及びツメ／ツバ式装置（２３４，２５２）の設計のうちの一つを備える
ことを特徴とする請求項３〜１０，１７〜２１のいずれか一項に記載のパッケージ。
【請求項２３】
前記容器（１１０；２１０；３１０；４１０；５１０；６１０）内、及び／又は前記容器（１１０；２１０；３１０；４１０；５１０；６１０）の前記取出し口（１２０；２２０；３２０；４２０；５２０；６１２）の少なくとも一部に、鮮度保持フォイル（１２２）が設けられている
ことを特徴とする請求項１〜２２のいずれか一項に記載のパッケージ。
【請求項２４】
前記容器（１１０；２１０；３１０；４１０；５１０；６１０）の前記取出し口（１２０；２２０；３２０；４２０；５２０；６１２）の少なくとも一部に、再封止可能な鮮度保持フォイルが設けられている
ことを特徴とする請求項１〜２３のいずれか一項に記載のパッケージ。
【請求項２５】
前記閉位置において前記容器（４１０；５１０）の前記取出し口（４２０；５２０）を覆う鮮度保持フォイル（４２２；５２２）が、前記容器（４１０；５１０）の一端（４２４；５２４）及び前記閉構造（４３０；５３０）の反対側の端（４２５；５２５）に貼り付けられて、前記閉構造（４３０；５３０）が前記開位置へ移行すると前記取出し口（４２０；５２０）を自動的に解放させるようになっている
ことを特徴とする請求項１１〜１４のいずれか一項に記載のパッケージ。
【請求項２６】
前記容器（２１０）が前記閉構造又は蓋（２４０）に対して移動したときに音を発するようになっている音発生装置（２３４，２５０）を備え、
前記音発生装置（２３４，２５０）は好ましくは、前記容器（２１０）から、又は、前記閉構造若しくは蓋から突出し、前記相対移動において対応部（２５０）に当たって音を発するようになっている少なくとも一つのタブ（２３４）を備える
ことを特徴とする請求項１〜２５のいずれか一項に記載のパッケージ。
【請求項２７】
少なくとも一つの面取り端又は曲面端を備える
ことを特徴とする請求項１〜２６のいずれか一項に記載のパッケージ。
【発明の詳細な説明】
【技術分野】
【０００１】
本発明は、タバコ用、特に、自製用の手巻きタバコに使用される刻みタバコ用のパッケージに関する。
【背景技術】
【０００２】
従来の刻みタバコ用パッケージは、柔らかいポーチ形状に設計されており、そのポーチの取出し口を閉めるためのフラップ（折り返し）を有する。
【先行技術文献】
【特許文献】
【０００３】
【特許文献１】独国特許出願公開第１０  ２００７  ０３０３６７号明細書
【特許文献２】独国実用新案出願公開第２０  ２００８  ００７４１５号明細書
【特許文献３】米国特許出願公開第２０１０／００６６３２号明細書
【特許文献４】国際公開第２００５／０８２７３８号パンフレット
【特許文献５】米国特許第１６８３６６４号明細書
【発明の概要】
【発明が解決しようとする課題】
【０００４】
本発明は、従来のポーチ形状のものとは非常に異なる外観・デザインを有する、実用性、タバコの取り出し易さ、及び鮮度を向上させる追加的オプションを提供可能なタバコ用パッケージを作製することを目的とする。
【課題を解決するための手段】
【０００５】
この目的は、独立請求項に定義されるタバコ用パッケージによって達成される。本発明の有利な形態は従属請求項から得られる。
【０００６】
本発明に係るパッケージは、容器と閉構造とを備える。容器は、刻みタバコを収容するようになっており、前壁と、後壁と、互いに対向する第一及び第二大側壁と、互いに対向する第一及び第二小側壁とを含む。容器の前壁には、取出し口が設けられる。閉構造は、閉構造が取出し口を閉じる閉位置から、取出し口からの取り出しが可能となる開位置へと、容器に対して移動可能である。
【０００７】
これに関連して、側壁は一般的に前壁及び後壁よりも小さい面積を有する。「大」側壁は、大抵、「小」側壁よりも長い。「第一」及び「第二」という表現は、定義するためだけに付されており、置き換え可能である。
【０００８】
本発明に係るパッケージは、魅力的アピールを提供する、ポーチとは大きく異なる従来の巻きタバコの箱と同様な寸法及び外観を有し得る。更に、パッケージのハードボックスという性質は、一般に、より安定感を与える。
【０００９】
取出し口の面積は、容器の前壁の面積よりも小さいことが好ましい。このようなデザインにより、パッケージの剛性が向上する。
【００１０】
本発明の有利な実施形態では、閉構造は、容器の第一大又は小側壁側にヒンジ接続されるフラップを備え、このフラップは、フラップが取出し口を覆う閉位置から、取出し口からの取り出しが可能となる開位置へと折り畳み可能である。フラップは、前記容器（１１０）（の好ましくは第二大又は小側壁側、即ち、一般的に、フラップの接続箇所の反対側）にヒンジ接続される係止蓋によって固定され得る。この係止蓋は、前記係止蓋がフラップを閉位置に保持する係止位置から、係止蓋がフラップを解放する係止解除位置へと旋回可能である。フラップと係止蓋とは、それぞれ、容器の第一及び第二大側壁側に接続されることが好ましい。ここで、「側」という表現は、各ヒンジラインが、必ずしも該当の側壁の表面上や端に沿っているわけではなく、ヒンジ接続の各手段が、該当の側壁に対して、その反対の側壁に対するよりも近いということを表すものである。
【００１１】
このデザインにおいて、係止蓋は、主壁と、主壁の端から延びる少なくとも一つの側壁とを備え得る。
【００１２】
係止蓋は、主壁の各端から延びる四つの側壁を備え、係止蓋は、これら側壁のうちの１つの自由端と好ましくは容器の後壁とに位置するヒンジラインに沿って容器にヒンジ接続されることが好ましい。係止蓋が係止位置にあるとき、係止蓋の主壁と、容器の第二大又は小側壁との間に空洞が設けられるように、係止蓋を容器に接続し得る。この空洞には、例えば巻紙ブックレットを収容できる（下記参照）。
【００１３】
このデザインにおいて、係止蓋を容器の後壁に接続する代わりに、（フラップが容器の第一大側壁側に接続される場合は）小側壁の一方に又は（フラップが容器の第一小側壁側に接続される場合は）大側壁の一方において係止蓋をヒンジ接続することも考えられる。この結果、フラップの旋回軸と係止蓋とが、互いに概して垂直な（通常互いに交差しない）デザインを得ることができ、興味深い外観を与える。
【００１４】
更に、フラップは、第一側方パネルと主パネルとを備え、第一側方パネルと主パネルとは、折り目（折り目線）によって分離され、フラップが閉位置にあるとき、第一側方パネルは容器の第一大又は小側壁に接近し、主パネルは取出し口を閉じる。フラップは、主パネルに加え、第二側方パネルを備え、主パネルと第二側方パネルとは、折り目によって分離され、フラップが閉位置にあるとき、主パネルは取出し口を閉じ、第二側方パネルは容器の第二大又は小側壁に接近する。このようなデザインの非常に有利な実施形態では、巻紙ブックレットが第二側方パネルに取り付けられる。フラップは、フラップが閉位置にあるときに取出し口を覆う封止パッド及び／又は補強手段も備え得る。
【００１５】
フラップと係止蓋を含むパッケージは、非常に魅力的なデザインとなり得る。このようなパッケージは剛性を有する。係止蓋は、フラップを安全に閉位置に保持するが、係止解除位置へと簡単に旋回させることができる。また、パッケージは巻紙用のスペースを余分に提供できる。使用者が係止蓋を開けると、容器の取出し口がまだ閉じた状態でも、巻紙は既に取り出せる状態にある。これは、巻きタバコを巻くのに必要な道具が提供されるべき正しい順番である。
【００１６】
パッケージは、特に巻紙ブックレットを含まない場合は、側壁を有さないか、四つ未満の側壁を有することも考えられる。この場合、係止蓋の剛性が低下するので、別の固定手段（例えば、Velcro（登録商標）といった自己グリップ式ファスナー）が好都合であり得る。例えば磁気フォイルといった、その他のタイプの一般的なファスナーも使用可能である。
【００１７】
本発明に係るパッケージの他の実施形態では、閉構造は、前壁と、後壁と、互いに対向する第一及び第二大側壁と、任意に、一つの小側壁とを備え、閉位置において容器を囲繞し、開位置へ移行するために、容器に対して摺動可能である。または、閉構造は、前壁と、後壁と、互いに対向する第一及び第二小側壁と、任意に、一つの大側壁とを備え、閉位置において容器を囲繞し、開位置へ移行するために、容器に対して摺動可能である。閉構造が上記任意の側壁を備える場合には、この側壁には切欠きが設けられる。それぞれ上記の場合、パッケージは、開位置へ移行した容器が閉構造から離間するのを防止するようになっている制止構造を備え得る。この制止構造は、例えば、容器に設けられる折り曲げられた要素と、容器を囲繞する閉構造の後壁、前壁、又は側壁に設けられるもう一つの折り曲げられた要素とを含み、これら要素の一方が他方に係合して、容器と閉構造との間の相対移動を制限する。このようなデザインのパッケージは、剛体構造を有し、非常に直感的に使用できる。
【００１８】
容器内のタバコの鮮度及び含水量を少なくとも部分的に保つため、閉位置において、容器の取出し口は、鮮度保持フォイルによって覆われ得る。このために、閉構造が開位置へ移行して取出し口を解放すると、鮮度保持フォイルがまくり上げられるように、鮮度保持フォイルは、その一端が容器に、他端が閉構造に貼り付けられる。パッケージを閉じるには、これと逆の手順を踏む。手動の鮮度保持フォイル（任意の再封止可能なもの）も考えられる。
【００１９】
これら実施形態の変形例において、容器は、第一大側壁に対して略平行に延在し、容器を第一及び第二区画に分割する仕切り壁を備える。容器の第二区画は、好ましくは上記の仕切り壁に平行に延在する少なくとも一つの別の仕切り壁によって更に分割されてもよい。前述のように、閉構造は、前壁と、後壁と、互いに対向する第一及び第二小側壁とを備える（任意の大側壁は備えない）。閉構造は、閉位置において容器を囲繞する。閉構造は、開位置へ移行して容器の第一区画側の取出し口を露出させるために、容器に対して摺動可能である。また、閉構造は、第二開位置へ移行して容器の第二区画側の取出し口を露出させるために、反対方向に容器に対して摺動可能である。ここでも、閉構造と容器の両方向における相対移動を制限する制止手段を設けてもよい。
【００２０】
この実施形態において、第一区画は、刻みタバコを収容できる。また、タバコが入った従来のポーチを、第一区画内に設置することも考えられる。第二区画は、例えば、巻紙ブックレット、ライタ、フィルタ、完成した自製巻きタバコのために使用できる。上記の追加の仕切り壁により、このような物をきちんと整頓して収容できる。
【００２１】
第二区画はまた、自製巻きタバコを少なくとも一つ保持するようになっている出張り領域を備えてもよい。例えば、容器の第二区画側の側壁を下方に旋回可能に設計して、第二区画へのアクセス性を向上させてもよい。この場合、例えばフィルタや完成した巻きタバコを（整頓・分離して）収納するための上記出張り領域を、この壁の内側に備える。
【００２２】
本発明に係るパッケージの他の実施形態において、容器は、刻みタバコを収容するようになっており、前壁と、後壁と、互いに対向する第一及び第二側壁と、底壁とを含む。取出し口が、底壁の反対側に設けられる。前壁が、側壁の折り畳み可能なガセット状（翼状）の拡張部に接続され、底壁の領域に位置するヒンジラインを中心に後壁から離れるように、休止位置から取出し口を広げる使用位置へと旋回可能である。上壁と前壁とを含む蓋は、容器の後壁の領域において容器にヒンジ接続され、蓋が取出し口を閉じて容器の前壁を休止位置に固定する閉位置から、蓋が容器の前壁を解放する開位置へと旋回可能である。
【００２３】
これに関連して、側壁及び底壁は、通常、前壁及び後壁よりも表面積が小さい。「〜の領域」とは、「〜に位置する、又は〜に概して近い」ことを意味し、「〜に位置する」ことに限定されない。
【００２４】
これらの実施形態に係るパッケージは、従来のタバコポーチとの間に若干の類似点もあるが、従来の巻きタバコの箱の要素も備えるため、より剛性を有し、魅力的である。
【００２５】
上記蓋は、蓋の上壁の端に位置するヒンジラインに沿って容器にヒンジ接続され、蓋の前壁を安定させる二つの側壁を含む。更に、容器の前壁の上端に、上面パネルが折り畳み可能に接続されてもよい。蓋が閉位置にあるとき、この上面パネルは、容器の底壁の反対側に設置される。容器の内部の取り出しを可能とするには、上面パネルを、外に折り返す。
【００２６】
或いは、上記蓋は、後壁と、蓋の後壁を蓋の前壁に接続する二つの側壁とを含み、蓋は、蓋の後壁の端に位置するヒンジラインに沿って容器にヒンジ接続される。この実施形態において、容器の底壁に対して垂直な方向において、容器の前壁の高さ及び／又は容器の後壁の高さは、容器の各側壁の高さよりも小さい。
【００２７】
係止蓋又は蓋を含む実施形態において、係止位置にある係止蓋又は閉位置にある蓋を固定するようになっている固定装置が有利となり得る。そのような固定装置として適切なものは、当技術分野で周知である。通常、固定装置は、係止蓋又は蓋に設けられる部材と、容器に設けられる対応部材とで構成され、例えば、磁気装置（例えば鋼フォイルと接触する磁気フォイル）、フック／フック式装置、フック／ループ式装置（Ｖｅｌｃｒｏ（登録商標）やそれに類似するもの）、押しボタン式装置、タブ／スリット式装置（例えば、係止蓋や蓋から突出するタブが容器に設けられたスリットに嵌合するもの）、又はツメ／ツバ式装置（下記実施形態の一つで説明される）がある。対応部材を必要としない粘着テープも適している。
【００２８】
一般的に、容器が閉構造又は蓋に対して移動したときに音を発するようになっている音発生装置は、興味深い効果を提供する。音発生装置は、容器から、又は、閉構造若しくは蓋から突出し、前記相対移動において対応部に当たって音を発する少なくとも一つのタブを備え得る。このようなタブは、蓋の閉位置への固定を助けることもでき得る。前段落で説明した固定装置の実施形態の多くは、動作時に音を発生させ、音発生装置として見なすこともできる。
【００２９】
更に、本発明に係るパッケージは、例えば容器や閉構造に、少なくとも一つの面取り端又は曲面端を備えてもよい。このような曲線端によって、魅力ある効果を提供できる。
【００３０】
本発明の有利な実施形態では、タバコの鮮度と含水量を少なくとも部分的に保つために、容器、及び／又は容器の取出し口に、鮮度保持フォイル（例えば、プラスチックフィルムや、ラミネート加工された材料や、アルミニウムフォイル）が設けられる。取出し口を閉じる鮮度保持フィルムは、容器の中身を取り出す際に、手動又は自動で開けられる。手動の場合は、鮮度保持フォイルは、手動でめくり上げられるように、取出し口の一端に固定され得る。粘着剤のような再封止手段を設けてもよい。自動で動く鮮度保持フォイルの例は、上述の通りである。また、例えばコーティングやラミネート加工されたボール紙といった、鮮度保持特性を有する材料で容器を製造することも考えられる。
【００３１】
ボール紙は、本発明に係るパッケージに好ましい材料である。当技術分野で周知のように、パッケージ又はそのパーツは、適切なブランクから切断され、折り畳まれ、接着され得る。ボール紙の他の材料、例えばプラスチック材料やラミネート加工された材料を使用することもできる。
【００３２】
パッケージの取出し口への鮮度保持フォイルの適用例は、上記の本発明のいくつかの実施形態で説明している。一般的に、容器の取出し口に再封止可能な鮮度保持フォイル（例えば、取出し口の粘着端に接触するフォイル）を設けることも考えられる。消費者は、このようなフォイルを、タバコを取り出す際に容器から部分的に剥がし、終わったら再び閉じる。
【発明の効果】
【００３３】
本発明に係るパッケージは、魅力的アピールを提供する、ポーチとは大きく異なる従来の巻きタバコの箱と同様な寸法及び外観を有し得る。更に、パッケージのハードボックスという性質は、一般に、より安定感を与える。
【図面の簡単な説明】
【００３４】
【図１】本発明にかかるタバコ用パッケージの第一実施形態の等角図であり、（ａ）は係止蓋が係止位置にある状態、（ｂ）は係止蓋が係止解除位置にある状態、（ｃ）はフラップが開位置へ折り畳まれ、容器の中身を取り出し可能な状態を示す。
【図２】本発明にかかるタバコ用パッケージの第二実施形態の等角図であり、（ａ）は蓋が閉位置にある状態、（ｂ）は蓋が途中まで開いた状態、（ｃ）は蓋が完全に開いて、容器の前壁を解放した状態を示す。
【図３】本発明にかかるタバコ用パッケージの第三実施形態の等角図であり、（ａ）は蓋が閉位置にある状態、（ｂ）は蓋が途中まで開いた状態、（ｃ）は蓋が完全に開いて、容器の前壁を解放した状態、（ｄ）は（ｃ）を別の方向から見た状態を示す。
【図４】本発明にかかるタバコ用パッケージの第四実施形態の等角図であり、（ａ）は箱型の容器が閉構造内にスライドして閉位置にある状態、（ｂ）は閉構造が途中まで開いた位置にある状態、（ｃ）は容器が閉構造の外に出た状態、（ｄ）は（ｃ）から鮮度保持フォイルが外された状態を示す。
【図５】本発明にかかるタバコ用パッケージの第五実施形態の等角図であり、（ａ）は箱型の容器が閉構造内にスライドして閉位置にある状態、（ｂ）は（ａ）を別の方向から見た状態、（ｃ）は閉構造が開位置にある状態、（ｄ）は容器が閉構造の外に出た状態を示す。
【図６】本発明にかかるタバコ用パッケージの第六実施形態の等角図であり、（ａ）は二つの区間を有する容器が閉構造にスライドされ閉位置にある状態、（ｂ）は閉構造が区画の一方を露出させた状態、（ｃ）は閉構造を反対方向に容器に対して移動させて、副区画を含む他方の区画を露出させた状態、（ｄ）は容器が閉構造の外に出た状態を示す。
【発明を実施するための形態】
【００３５】
以下に、図面に基づいて、本発明をより詳細に説明する。
【００３６】
図１は、図１（ａ），図１（ｂ），図１（ｃ）の三つの等角図によって、タバコ用パッケージの第一実施形態を示す。
【００３７】
パッケージ１００は、前壁１１２と、後壁１１４と、第一大側壁１１６と、第二大側壁１１７と、第一小側壁１１８と、第二小側壁１１９とを有する箱型の容器１１０を備える。容器１１０の前壁１１２には、取出し口１２０が設けられる。取出し口１２０の総面積は、前壁１１２の外端により画定される面積よりも小さい。
【００３８】
容器１１０の内面は鮮度保持フォイル１２２によって覆われ、この鮮度保持フォイル１２２は、図１（ｃ）において分かるように、取出し口１２０の端からある程度はみ出るように延在する。
【００３９】
取出し口１２０は、フラップ１３０によって閉めることができる。フラップ１３０は、完全に閉められた状態の図１（ｃ）において最も良く見える。
【００４０】
フラップ１３０は、第一大側壁１１６側、即ち本実施形態においては、第一大側壁１１６と後壁１１４との共通端に位置するヒンジライン１３１を介して容器１１０に接続する。フラップ１３０は、第一側方パネル１３２を備え、この第一側方パネル１３２に、折り目１３３を介して主パネル１３４が接続する。主パネル１３４は、前壁１１２とほぼ同じ大きさを有する。フラップ１３０の主パネル１３４には、別の折り目１３５を介して第二側方パネル１３６が接続する。
【００４１】
主パネル１３４は、厚いボール紙でできた補強構造１３８によって補強される。または、補強構造１３８の代わりに柔らかいシール・パッドを用いてもよい。
【００４２】
折り畳み可能なカバー１４２と複数の巻紙を備える従来の巻紙ブックレット１４０が、フラップ１３０の第二側方パネル１３６の外側に固定される（図１（ｃ）参照）。
【００４３】
パッケージ１００は、主壁１５２と四つの側壁１５４，１５５，１５６，１５７とを備える係止蓋１５０を更に含む。係止蓋１５０は、側壁１５５の自由端に位置するヒンジライン１５８を介して、容器１１０の後壁１１４に旋回可能に接続される。後壁１１４と第二大側壁１１７との共通端とヒンジライン１５８との間の距離は、側壁１５５の高さ（係止蓋１５０の主壁１５２に対して垂直に測定）よりも小さい。よって、図１（ａ）に示すように係止蓋１５０が閉状態つまり係止位置にある時、係止蓋１５０の主壁１５２と容器１１０の第二大側壁１１７との間には空洞が形成される。この空洞内に、巻紙ブックレット１４０が収納される。
【００４４】
本実施形態において、パッケージ１００は、ボール紙製の複数のブランクから形成され、これらのブランクを折り曲げて、ブランクに設けられたタブで接着する。プラスチック材料等の他の材料も考えられる。上述したように、容器１１０に収納されるタバコは、鮮度保持フォイル１２２によってその鮮度が保たれる。代替実施形態では、鮮度保持フォイル１２２の代わりに、鮮度保持コーティングを容器１１０の内面に施し、また、ボール紙製の補強構造１３８の代わりに、取出し口１２０を多分に封止でき、パッケージ１００の補強も可能なパッドを使用する。あるいは、剥離及び再封止可能な鮮度保持フォイルで容器１１０の取出し口１２０を覆うことによって、鮮度保持を提供することもできる。この場合、取出し口１２０の端部領域に粘着剤を塗布することにより、鮮度保持フォイルを再封止可能とすることができる。
【００４５】
図１（ａ）において、フラップ１３０と係止蓋１５０とからなる閉構造は、閉位置にある。係止蓋１５０は、四つの側壁１５４，１５５，１５６及び１５７を有する構造であるため、閉位置において、折り畳まれたフラップ１３０をしっかりと係止する。
【００４６】
図１（ｂ）では、係止蓋が係止解除位置まで旋回されており、巻紙ブックレット１４０が露出している。この状態で、使用者は、タバコを巻く準備として、巻紙ブックレット１４０から巻紙を一枚取出すことができる。
【００４７】
使用者は次に、パッケージ１００が図１（ｃ）に示す最終状態をとるまでフラップ１３０を広げる。ここで、使用者は露出している取出し口１２０を介して、容器１１０からタバコを便利に取り出し、タバコの手巻き手順を完了させることができる。最後に、折り畳み及び旋回動作を逆に行って、図１（ａ）に示す初期状態に戻す。
【００４８】
図２は、図２（ａ），図２（ｂ），図２（ｃ）の等角図によって、タバコ用パッケージの別の実施形態を示す。
【００４９】
本実施形態では、パッケージ２００は、前壁２１２と、後壁２１４と、第一側壁２１６と、第二側壁２１７と底壁２１８とを有する容器２１０を備える。底壁２１８の反対側に、取出し口２２０が設けられる。
【００５０】
取出し口２２０は、前壁２１２を後壁２１４から離すように旋回することによって大きくすることができる。このために、前壁２１２は、ガセット状の拡張部２２２，２２３及び２２４，２２５をそれぞれ介して、側壁２１６及び２１７に接続される（図２（ｃ）参照）。前壁２１２は、底壁２１８の領域内に位置するヒンジライン２２６を中心に旋回可能である。このヒンジライン２２６は、後壁２１８のちょうど端には位置せず、固定前面パネル２２８が形成される。ヒンジライン２２６を中心に前壁２１２を旋回させると、ガセット状の拡張部２２２，２２３，２２４，２２５が扇子のように折り畳まれる。本実施形態の変形例では、前壁が旋回するヒンジラインは、ちょうど底端に位置する。
【００５１】
さらに、上面パネル２３０が、ヒンジライン２３２を介して前壁２１２の上端に折り畳み可能に接続される。前壁２１２には、外側（つまり図２（ｂ）の右側）に突出して下方に延在するタブ２３４が設けられる。
【００５２】
パッケージ２００は、蓋２４０として設計された閉構造を備える。蓋２４０は、上壁２４２と前壁２４４とを含み、ヒンジライン２４６を介して後壁２１４の上端に接続される。蓋２４０の形状を安定させるために、二つの三角形状の側壁２４８，２４９が設けられる。
【００５３】
不使用時、パッケージ２００の蓋２４０は、図２（ａ）に示す閉位置にある。この位置では、蓋２４０は、タブ又はツメ２３４（図２（ｂ）参照）が、内側ツバ２５０（蓋２４０の前壁２４４の内側の、係合端２５２を形成する折り返しフラップ（図２（ｃ）参照））に接触することによって固定される。蓋２４０は、前壁２１２を、図２（ａ）に示す休止位置に固定する。
【００５４】
消費者がパッケージ２００からタバコを取り出すには、まず、蓋２４０を開ける（図２（ｂ）参照）。この時、タブ２３４が外れてカチッという音がする。最後に、消費者は、取出し口２２０を大きくしてタバコが取り出しやすくなるように、前壁２１２を広げる（図２（ｃ）参照）。
【００５５】
パッケージ２００を閉じるには、上記の動作を逆に行う。
【００５６】
図３に示すタバコ用パッケージの実施形態は、図２に示すものと類似している。
【００５７】
図３において、パッケージ３００は、折り畳み可能な前壁３１２と、後壁３１４と、第一側壁３１６と、第二側壁３１７と、底壁３１８と、底壁３１８の反対側の取出し口３２０とを備える容器３１０を備える。
【００５８】
取出し口３２０は、前壁３１２を後壁３１４から離すように旋回することによって大きくすることができる。本実施形態では、ガセット状の拡張部３２２，３２３，３２４，３２５は、前壁３１２の上端及び第一側壁３１６と第二側壁３１７の各上端までは延在しない。前壁３１２は、底壁３１８に近い、固定前面パネル３２８の上端におけるヒンジライン３２６を中心に旋回可能である。
【００５９】
図３の本実施形態では、第一側壁３１６と第二側壁３１７とを高くするために、二つのインサート３３０，３３１が容器３１０の内側に接着される。
【００６０】
パッケージ３００の閉構造は、上壁３４２と、前壁３４４と、後壁３４６と、側壁３４８と、別の側壁３４９とを備える蓋３４０で形成される。蓋３４０は、蓋３４０の後壁３４６の下端及び容器３１０の後壁３１４の上端に位置するヒンジライン３５０を介して容器３１０に旋回可能に接続される。蓋３４０は、その剛体構造とインサート３３０，３３１の存在により、閉位置において自身を固定し、図２の実施形態におけるタブ２３４のようなタブを必要としない。しかし、任意でタブや別の係止手段を用いることにより、蓋が閉位置にある時のパッケージの安定性を高めることや、パッケージの開閉動作を音で知らせることもできる。適した固定装置の一般的な例は、上で詳しく説明される。
【００６１】
パッケージ３００は、パッケージ２００と同様に使用される。図３（ａ）では、蓋３４０は閉位置にある。図３（ｂ）では、蓋３４０は途中まで開いており、前壁３１２は途中まで広げられている。図３（ｃ）と図３（ｄ）の図では、前壁３１２は、後壁３１４から離れてほぼ完全に旋回されていて、パッケージ３００の内部の取り出しが容易となっている。
【００６２】
パッケージ２００，３００は、パッケージ１００と同様に、複数のボール紙製のブランクから形成される。図２，３には明示されていないが、パッケージ２００，３００に収められたタバコは、パッケージ１００と同様に、パッケージの材料にフォイルやコーティングを施すことによって新鮮に保たれる。
【００６３】
図４は、図４（ａ），図４（ｂ），図４（ｃ）の三つのパッケージ４００の等角図によって、タバコ用パッケージの第四実施形態を示す。
【００６４】
パッケージ４００は、前壁４１２と、後壁４１４と、第一大側壁４１６と、第二大側壁４１７と、第一小側壁４１８と、第二小側壁４１９とを有する箱型の容器４１０を備える。前壁４１２には取出し口４２０が配置され、この取出し口の面積は、前壁４１２の総面積より幾分小さい。
【００６５】
取出し口４２０は、鮮度保持フォイル４２２によって覆うことができる。容器４１０の前壁４１２の、第二大側壁４１７に近い箇所に位置する第一貼付け領域４２４に、鮮度保持フォイル４２２の端部領域が貼り付けられる（図４（ｃ），図４（ｄ）参照）。鮮度保持フォイル４２２の他端は、閉構造４３０の内側に位置する第二貼付け領域４２５に固定される。
【００６６】
閉構造４３０は、前壁４３２と、後壁４３４と、第一小側壁４３８と、第二小側壁４３９とを備える。容器４１０は、閉構造４３０内に摺動可能であり、よって閉位置をとる。この閉位置では、容器４１０が閉構造４３０に囲繞され（図４（ａ）参照）、鮮度保持フォイル４２２によって取出し口４２０が覆われる。
【００６７】
取出し口４２０を露出させるには、閉構造４３０を容器４１０に対して移動させる。図４（ｂ）は、その中間位置を示す。この移動時、鮮度保持フォイル４２２は自動的に折り返され、よって取出し口４２０が解放される。
【００６８】
容器４１０が開位置へと移行した後、閉構造４３０が容器４１０から離れてしまうのを、制止構造が防止する。図４（ｃ），図４（ｄ）において、この制止構造は、容器４１０と閉構造４３０とを別々に示して制止構造の各部が見えるようにするために、その係合が外されている。鮮度保持フォイル４２２は、図４（ｃ）においては、容器４１０と閉構造４３０とを接続しているが、図４（ｄ）では、見やすさのため、外されている。
【００６９】
制止構造は、容器４１０を形成するブランクから切欠き４４２の領域において切り抜かれたタブ４４０を備える。このタブ４４０は、閉構造４３０の後壁４３４の端から折り返されたフラップ４４４と接触する（特に図４（ｄ）を参照）。容器４１０が閉構造４３０に挿入され開位置の方へ移動されると、タブ４４０がフラップ４４４に引っ掛かり、タブ４４０の先端がフラップ４４４の折り目に到達すると、制止構造は、容器４１０のそれより先の移動を制止する。
【００７０】
閉位置において、鮮度保持フォイル４２２は、取出し口４２０を覆い、容器４１０が閉構造４３０から反対方向に飛び出るのを防止する。図４に示す実施形態の変形例では、閉構造４３０は、容器４１０が完全に閉位置まで摺動された時に容器４１０を制止する一つの大側壁を備える。この大側壁には、パッケージ４００を開ける際に容器４１０を押すための切欠きを設けてもよい。
【００７１】
図５は、図４の実施形態に非常によく似ているパッケージの別の実施形態を示す。図５のパッケージ５００は、容器を、小側壁ではなく大側壁に対して平行に移動させることによって開けられる。
【００７２】
つまり、パッケージ５００は、前壁５１２と、後壁５１４と、第一大側壁５１６と、第二大側壁５１７と、第一小側壁５１８と、第二小側壁５１９とを有する容器５１０を備える。鮮度保持フォイル５２２は、容器５１０の前壁５１２に位置する第一貼付け領域５２４と、閉構造５３０の内側に位置する第二貼付け領域５２４とに固定され、閉構造５３０が容器５１０に対して移動して図５（ａ），図５（ｂ）に示す閉位置に到達すると、自動的に取出し口５２０を覆い、また、閉構造５３０が図５（ｃ）に示す開位置に移動すると、自動的に取出し口５２０を露出させる。
【００７３】
閉構造５３０は、前壁５３２と、後壁５３４と、第一大側壁５３６と、第二大側壁５３７とを備える。閉構造５３０は更に、切欠き領域５３９を有する小側壁５３８を含む（図５（ｂ）参照）。
【００７４】
図５（ｄ）において、容器５１０の後壁５１４の任意の切欠き５４２に形成されたタブ５４０と、閉構造５３０の後壁５３４に折り返されたフラップ５４４とを備える制止構造が見えるように、容器５１０は閉構造５３０から離されている。
【００７５】
図４及び図５の実施形態は、複数のブランクを折り曲げて形成できる。前述同様に、パッケージ４００，５００に収納された刻みタバコの水分は、鮮度保持フォイル（不図示だが、容器の内側にも設けられる）や、適切なコーティングや、容器と閉構造の材料の選択によって、大部分が保持させる。
【００７６】
図６は、符号６００で表されるタバコ用パッケージの別の実施形態を示す。パッケージ６００の基本的な概念はパッケージ４００と同様であるが、容器を、閉構造に対して小側壁と平行に両方向に摺動させて、容器の２つの区画を互いに独立して露出させることができる。
【００７７】
パッケージ６００は、その前壁の全体が取出し口６１２として設計された容器６１０を備える。容器６１０は更に、後壁６１４と、第一大側壁６１６と、第二大側壁６１７と、第一小側壁６１８と、第二小側壁６１９とを含む。
【００７８】
容器６１０は、（第一大側壁６１６に対して平行に延在する）仕切り壁６２０によって、第一区画６２１及び第二区画６２２に分割される。第一区画６２１は刻みタバコを収納するように設計される。第二区画６２２は更に、仕切り壁６２４，６２５により分割され、そこには、例えば巻紙ブックレットや、消費者がタバコを自製する際に好むその他の小物を収納できる。第二区分６２２は、完成した巻きタバコの収納にも使用できる。このため、（個々の巻きタバコやフィルタを挟めるように出張り領域が設けられた）ホルダ６２６が、第二大側壁６１７の内側に固定される。本実施形態では、第二大側壁６１７は、容器６１０の後壁６１４との共通端に位置するヒンジラインを中心に折り畳み可能である。第二第側壁６１７のアーチ状の上端を有する二つの側面拡張部６２７が、小側壁６１８，６１９と、小側壁６１８，６１９の折り返し内側部との間をそれぞれ摺動する。
【００７９】
仕切り壁６２０及び仕切り壁６２４，６２５はそれぞれ、消費者が指で収納物を取り出しやすくするために、丸い切欠き６２８を有してもよい。本実施形態では、同様の切欠き６２８が、容器６１０の第一大側壁６１６にも設けられる。第二大側壁６１７は、次段落に記載の引きタブ６２９を備え、この引きタブ６２９により、閉構造に対して容器６１０を移動させなくても、ホルダ６２６を備える小部屋を開けることが可能となる。
【００８０】
閉位置において、閉構造６３０は容器６１０を囲繞する（図６（ａ）参照）。閉構造６３０は、前壁６３２と、後壁６３４と、第一小側壁６３８と、第二小側壁６３９を備え、大側壁を備えない。
【００８１】
図６（ｂ）は、容器６１０を一方へ摺動させて第１区画６２１を露出させた開位置を示す。図６（ｃ）は、容器６１０を他方に移動させて、消費者に第二区画６２２内の小物を提示する第二開位置を示す。
【００８２】
図６（ｄ）の状態では、容器６１０は、閉構造６３０から離れている。本実施形態の変形例では、図６（ｂ）に示す開位置及び図６（ｃ）に示す第二開位置より先に閉構造６３０が容器６１０に対して動くことを阻止する制止構造が設けられる。例えば、制止構造は、容器６１０の小側壁６１８，６１９の一方又は両方に突出部を備えてもよい。容器６１０の各移動の先で（開位置又は第二開位置への到達時）、各突出部は、閉構造６３０の、隣接する第一又は第二小側壁６３８，６３９の端から折り返されたタブの端縁に当接する。
【００８３】
図６の実施形態にも、他の実施形態と同様の材料や鮮度保持手段を使用できる。
【００８４】
上記の各実施形態は、例として理解されるべきである。例えば、詳述した実施形態の要素及び構造上の特徴を異なる組み合わせで適用した実施形態等、その他様々な実施形態も想到しうる。
【符号の説明】
【００８５】
１１０，２１０，３１０，４１０，５１０，６１０  容器
１１２，２１２，３１２，４１２，５１２  前壁
１１４，２１４，３１４，４１４，５１４，６１４  後壁
１１６，２１６，３１６，４１６，５１６，６１６  第一大側壁
１１７，２１７，３１７，４１７，５１７，６１７  第二大側壁
１１８，４１８，５１８，６１８  第一小側壁
１１９，４１９，５１９，６１９  第二小側壁
１２０，２２０，３２０，４２０，５２０，６１２  取出し口
１２２，４２２，５２２  鮮度保持フォイル
１３０，１５０，４３０，５３０，６３０  閉構造
１３２  第一側方パネル
１３３  折り目
１３４  主パネル
１３５  折り目
１３６  第二側方パネル
１３８  補強手段
１４０  巻紙ブックレット
１５２  主壁
１５４，１５５，１５６，１５７  側壁
１５８  ヒンジライン
２１８，３１８  底壁
２２２〜２２５，３２２〜３２５  拡張部
２２６，３２６  ヒンジライン
２３０  上面パネル
２３４  タブ
２４０，３４０  蓋
２４２，３４２  上壁
２４４，３４４  前壁
２４６，３５０  ヒンジライン
２４８，２４９，３４８，３４９  側壁
２５０  音発生装置
２５２  固定装置
３３０，３３１  側壁
３４６  後壁
４２４，５２４  一端
４２５，５２５  反対側の端
４３２  前壁
４３４  後壁
４３８  第一小側壁
４３９  第二小側壁
４４０，４４４  制止構造
５３２  前壁
５３４  後壁
５３６  第一大側壁
５３７  第二大側壁
５３８  小側壁
５３９  切欠き
５４０，５４４  制止構造
６２０  仕切り壁
６２１  第一区画
６２２  第二区画
６２４，６２５  仕切り壁
６２６  出張り領域
６３２  前壁
６３４  後壁
６３８  第一小側壁
６３９  第二小側壁                                                                         
【図１】
2013540653.tif 000003
【図２】
2013540653.tif 000004
【図３】
2013540653.tif 000005
【図４】
2013540653.tif 000006
【図５】
2013540653.tif 000007
【図６】
2013540653.tif 000008
【国際調査報告】
2013540653.tif 000009
2013540653.tif 000010
2013540653.tif 000011
2013540653.tif 000012
2013540653.tif 000013